(57)【要約】【課題】出先にあるＭＦＰにより自分用の電話番号で送信側端末と１対１でファクス通信できるようにして、利便性を高めた通信端末及び通信システムを提供する。【解決手段】このファクシミリ装置１００は、原稿画像を読み取って電気信号に変換する読取部（スキャナ）１と、装置全体を制御する制御部２と、受信した画情報を印刷する書込部（プロッタ）３と、データの入力と操作指示を表示する操作表示部（オペボード）４と、転送先テーブルや画像などを記憶する不揮発性メモリ５と、一時的にデータメモリ６と、送信する画情報を圧縮したり、受信が情報を伸長して再生する画情報圧縮再生部（ＤＣＲ）７と、ＮＣＲやモデムを制御するファクシミリ通信制御部（ＣＣＵ）８と、ＴＣＰ／ＩＰ、ＳＭＴＰ、ＰＯＰ３、Ｈ．３２３、ＳＩＰなどの通信プロトコル制御を行なうＬＡＮ制御部９と、バス１０と、を備えて構成される。【選択図】図１
2007251846.tif 000002
【特許請求の範囲】
【請求項１】
ネットワークに接続された通信端末であって、
個人を識別するための個人識別情報を入力する入力手段と、該入力手段により入力された個人識別情報及び当該通信端末を識別するための端末識別情報を送信する送信手段と、を備え、
前記個人識別情報及び前記端末識別情報を前記送信手段により前記ネットワークを介して送信することにより、前記個人識別情報として入力した宛先により情報の受信を可能としたことを特徴とする通信端末。
【請求項２】
前記個人識別情報として電話番号を利用することを特徴とする請求項１に記載の通信端末。
【請求項３】
前記入力手段は前記個人識別情報を記録した記録媒体の記録情報を読み取る読取手段を備えたことを特徴とする請求項１又は２に記載の通信端末。
【請求項４】
前記記録媒体としてＩＤカードを利用することを特徴とする請求項３に記載の通信端末。
【請求項５】
前記記録媒体としてＵＳＢメモリ又はメモリカードを利用することを特徴とする請求項３に記載の通信端末。
【請求項６】
前記記録媒体として非接触ＩＣカードを利用することを特徴とする請求項３に記載の通信端末。
【請求項７】
請求項１乃至６の何れか一項に記載の通信端末と、前記個人識別情報及び前記端末識別情報を管理するサーバと、前記通信端末と前記サーバを接続するネットワークと、を備えたことを特徴とする通信システム。
【請求項８】
前記通信端末と前記サーバとの通信制御にＳＩＰを利用することを特徴とする請求項７に記載の通信システム。
【請求項９】
前記サーバは、前記個人識別情報と同時にパスワードを受信することにより利用者の認証を行うことを特徴とする請求項７又は８に記載の通信システム。
【請求項１０】
前記サーバは、前記通信端末によりログアウト操作が行なわれた場合、前記個人識別情報を取り消すことを特徴とする請求項７、８又は９に記載の通信システム。
【請求項１１】
送信側としての発側通信端末と受信側としての着側通信端末とが相互に通信する場合、前記着側通信端末が受信可能な状態になったことを前記発側通信端末に通知することを特徴とする請求項７乃至１０の何れか一項に記載の通信システム。
【発明の詳細な説明】
【技術分野】
【０００１】
本発明は、通信端末及び通信システムに関し、さらに詳しくは、出先の通信端末で常に同じ電話番号により情報の受信が可能な通信端末及び通信システムに関するものである。
【背景技術】
【０００２】
近年、コンビニエンスストアなどでは、複写機やＦＡＸなどを設置して顧客サービスの向上に努めている。また、設置面積の制約から複写機とＦＡＸの機能を併せ持った複合機（ＭＦＰ）を設置し、このＭＦＰによりファクシミリ送信だけでなくファクシミリ受信のサービスを行いたいというニーズもある。しかし、設置されているＭＦＰには固有の電話番号が与えられているため、ファクシミリ受信する場合は、その番号で受信するしか方法がなかった。そのため、毎回送信者に異なる電話番号を教える必要があり、煩わしいといった問題がある。
また従来技術として特許文献１には、送信者にファックスサーバに原稿を送信してもらい、利用者は出先の端末から自分用の受信ボックスに蓄積保存されている文書を取り出すシステムが開示されている。
【特許文献１】特開２００４−２６０４８７公報
【発明の開示】
【発明が解決しようとする課題】
【０００３】
しかし、特許文献１に開示されている従来技術は、サーバに原稿データを保存するためにサーバの記録媒体のコストが利用者数に比例して大きくなるといった問題がある。また、原稿データがサーバ上に保存されるために、利用者が取り出さないとサーバ上に原稿データが残ったままになりセキュリティ上の問題が残る。
本発明は、かかる課題に鑑み、出先にあるＭＦＰにより自分用の電話番号で送信側端末と１対１でファクス通信できるようにして、利便性を高めた通信端末及び通信システムを提供することを目的とする。
【課題を解決するための手段】
【０００４】
本発明はかかる課題を解決するために、請求項１は、ネットワークに接続された通信端末であって、個人を識別するための個人識別情報を入力する入力手段と、該入力手段により入力された個人識別情報及び当該通信端末を識別するための端末識別情報を送信する送信手段と、を備え、前記個人識別情報及び前記端末識別情報を前記送信手段により前記ネットワークを介して送信することにより、前記個人識別情報として入力した宛先により情報の受信を可能としたことを特徴とする。
本発明は、通信端末から個人識別情報及び当該通信端末を識別するための端末識別情報を送信することにより、通信端末の宛先が個人識別情報として入力した宛先となるため、通信端末が変わっても利用者は常に同一の個人識別情報を入力することにより画情報の受信が可能となる。
請求項２は、前記個人識別情報として電話番号を利用することを特徴とする。
個人識別情報の最も一般的なものとして電話番号がある。本発明ではこの電話番号を個人識別情報とするものである。
【０００５】
請求項３は、前記入力手段は前記個人識別情報を記録した記録媒体の記録情報を読み取る読取手段を備えたことを特徴とする。
入力手段からその都度個人識別情報を入力しても良いが、忘れたり入力ミス等が発生する場合もある。そこで本発明では、個人識別情報を記録した記録媒体の記録情報を読み取る読取手段を備えるものである。
請求項４は、前記記録媒体としてＩＤカードを利用することを特徴とする。
個人識別情報として身分証明書の情報がある。この身分証明書はＩＤカードとしてそれらの情報が記録媒体に記録されている。
請求項５は、前記記録媒体としてＵＳＢメモリ又はメモリカードを利用することを特徴とする。
ＵＳＢメモリはＵＳＢコネクタに接続して使用するものであり、持ち歩き可能なフラッシュメモリである。例えばメモリカードとしてＳＤカードメモリは容量は３２ＭＢ〜２５６ＭＢ程度で、フロッピー（登録商標）ディスクに代わる手軽なメディアとして注目されつつある。
【０００６】
請求項６は、前記記録媒体として非接触ＩＣカードを利用することを特徴とする。
非接触ＩＣカードは、アンテナから放射された搬送波を電力源として駆動するカードである。従って、非接触によりカードに記録された情報を読み取ることができる。
請求項７は、請求項１乃至６の何れか一項に記載の通信端末と、前記個人識別情報及び前記端末識別情報を管理するサーバと、前記通信端末と前記サーバを接続するネットワークと、を備えたことを特徴とする。
本発明はネットワークに接続された複数の通信端末間の通信を、サーバにより制御するシステムである。
請求項８は、前記通信端末と前記サーバとの通信制御にＳＩＰを利用することを特徴とする。
本発明は通信制御のプロトコルとして、ＳＩＰ（Session Initiation Protocol）を利用するものである。このＳＩＰは、ＶｏＩＰを応用したインターネット電話などに用いられる通信制御プロトコルの一つである。
請求項９は、前記サーバは、前記個人識別情報と同時にパスワードを受信することにより利用者の認証を行うことを特徴とする。
本発明は、不正な利用者により使用を防止するために、パスワードを設定してセキュリティの充実を図るものである。即ち、個人識別情報として例えば電話番号を設定した場合、電話番号を知っている第三者は多く存在する。従って、それだけで通信が可能になると、第三者が不正に使用する虞がある。
【０００７】
請求項１０は、前記サーバは、前記通信端末によりログアウト操作が行なわれた場合、前記個人識別情報を取り消すことを特徴とする。
通信が終了した時点でサーバは次の利用者に備えるために、前の利用者の情報を無効にする必要がある。そこで本発明では、通信端末によりログアウト操作が行なわれた場合、個人識別情報を取り消すものである。
請求項１１は、送信側としての発側通信端末と受信側としての着側通信端末とが相互に通信する場合、前記着側通信端末が受信可能な状態になったことを前記発側通信端末に通知することを特徴とする。
通信端末同士がサーバを介して通信を行う場合、着側通信端末が例えば記録紙が無かったり、トナーが不足して受信できる状態に無い場合がある。従って、これらの状況が解除されて受信が可能になったことを、発側通信端末に通知する必要がある。
【発明の効果】
【０００８】
本発明によれば、個人識別情報及び端末識別情報を送信手段によりネットワークを介して送信することにより、個人識別情報として入力した宛先により情報の受信を可能としたので、通信端末が変わっても同じように通信を行うことができる。
【発明を実施するための最良の形態】
【０００９】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は本発明の通信端末をＴ．３８対応ファクシミリ装置で実施した場合の構成図である。このファクシミリ装置１００は、原稿画像を読み取って電気信号に変換する読取部（スキャナ）１と、装置全体を制御する制御部２と、受信した画情報を印刷する書込部（プロッタ）３と、データの入力と操作指示を表示する操作表示部（オペボード）４と、転送先テーブルや画像などを記憶する不揮発性メモリ５と、一時的にデータを記憶するメモリ６と、送信する画情報を圧縮したり、受信が情報を伸長して再生する画情報圧縮再生部（ＤＣＲ）７と、ＮＣＲやモデムを制御するファクシミリ通信制御部（ＣＣＵ）８と、ＴＣＰ／ＩＰ、ＳＭＴＰ、ＰＯＰ３、Ｈ．３２３、ＳＩＰなどの通信プロトコル制御を行なうＬＡＮ制御部９と、バス１０と、を備えて構成される。尚、操作表示部４にＩＣカードやＵＳＢメモリやＳＤカードの挿入口や非接触ＩＣカードリーダを内蔵してもよい。
【００１０】
図２は、ＳＩＰを利用した場合のサーバへの個人識別情報（電話番号）と端末識別情報（ＩＰアドレス）の登録シーケンス例を示す図である。
シーケンス番号（図の左端に記載した符号）順に説明する。
２０１：操作表示部４よりログイン操作により個人電話番号（個人識別情報）が入力される。
２０２：入力された個人電話番号と通信端末のＩＰアドレス（端末識別情報）をＲＥＧＩＳＴＥＲリクエストでＳＩＰサーバ（図４参照）に登録依頼を行う。
２０３：ＳＩＰサーバに登録が成功すると［２００  ＯＫ］レスポンスが返される。
この間、個人電話番号宛て通信を通信端末で着信することが可能である。
２０４：操作表示部４よりログアウト操作が行われる。
２０５：入力された個人電話番号と端末のＩＰアドレスをＲＥＧＩＳＴＥＲリクエストでＳＩＰサーバに削除依頼を行う。（注記：パラメータｅｘｐｉｒｅｓが０で登録削除を表す）
２０６：ＳＩＰサーバから削除が成功すると［２００  ＯＫ］レスポンスが返される。
以後、個人電話番号宛て通信を通信端末で着信することはない。
【００１１】
図３は、ＳＩＰを利用して認証方式としてダイジェスト認証［ＲＦＣ２６１７］を利用した場合の登録シーケンス例を示す図である。シーケンス番号（図の左端に記載した符号）順に説明する。
３０１：操作表示部４よりログイン操作により個人電話番号とパスワードが入力される。
３０２：入力された個人電話番号と端末のＩＰアドレスをＲＥＧＩＳＴＥＲリクエストでＳＩＰサーバに登録依頼を行う。
３０３：ＳＩＰサーバからｎｏｎｃｅパラメータとｒｅａｌｍパラメータとともに認証を要求する［４０１  Ｕｎａｕｔｈｏｒｉｚｅｄ］レスポンスが返される。
３０４：入力された個人電話番号と端末のＩＰアドレスとｎｏｎｃｅパラメータとｒｅａｌｍパラメータよりｒｅｓｐｏｎｃｅパラメータを計算する。入力された個人電話番号と端末のＩＰアドレスとｎｏｎｃｅパラメータとｒｅａｌｍパラメータとｒｅｓｐｏｎｃｅパラメータをＲＥＧＩＳＴＥＲリクエストでＳＩＰサーバに登録依頼を行う。
３０５：ＳＩＰサーバに登録が成功すると［２００  ＯＫ］レスポンスが返される。
この間、個人電話番号宛て通信を通信端末で着信することが可能である。
３０６：操作表示部４よりログアウト操作が行われる。
３０７：入力された個人電話番号と端末のＩＰアドレスとｎｏｎｃｅパラメータとｒｅａｌｍパラメータとｒｅｓｐｏｎｃｅパラメータをＲＥＧＩＳＴＥＲリクエストでＳＩＰサーバに削除依頼を行う。（注記：パラメータｅｘｐｉｒｅｓが０で登録削除を表す）
３０８：ＳＩＰサーバから削除が成功すると［２００  ＯＫ］レスポンスが返される。
【００１２】
図４は本発明の一実施形態に係る通信システムの構成図である。この通信システム２００は、個人識別情報及び端末識別情報を管理するＳＩＰサーバ５０１と、発端末５０２−５０３と、着端末５０４−５０６と、一般公衆網からのファクシミリ通信を変換するゲートウェイ５０８と、一般公衆網（ＰＳＴＮ）５０９と、通常のＧ３ファクシミリ５１０−５１１と、ＰＣ５１２と、通信端末とサーバ５０１を接続するインターネット５０７と、を備えて構成される。
【００１３】
図５は、ＳＩＰを利用した場合の登録・通信・状態通知依頼・状態通知のシーケンス例を示す図である。図４を参照してシーケンス番号（図の左端に記載した符号）順に説明する。尚、本実施形態では発端末Ａ５０２と着端末Ｘ５０４間で通信が行われている場合を想定して説明する。
４０１：発端末Ａ５０２の操作表示部４よりログイン操作により状態を知りたい個人電話番号が入力されるとＳＩＰサーバ５０１にＳＵＢＳＣＲＩＢＥリクエストで状態通知依頼登録を行う。
４０２：ＳＩＰサーバ５０１に登録が成功すると［２００  ＯＫ］レスポンスが返される。
４０３：ＳＩＰサーバ５０１から個人電話番号の状態［着信不可］がＮＯＴＩＦＹリクエストで発側端末に送信されてくる。
４０４：発端末Ａ５０２は、個人番号の状態を操作表示部４に表示し、ＳＩＰサーバに［２００  ＯＫ］レスポンスを返す。
【００１４】
４０５：着端末Ｘ５０４の操作表示部４よりログイン操作により個人電話番号が入力される。
４０６：入力された個人電話番号と着端末Ｘ５０４のＩＰアドレスをＲＥＧＩＳＴＥＲリクエストでＳＩＰサーバに登録依頼を行う。
４０７：ＳＩＰサーバ５０１から個人電話番号の状態［着信可能］がＮＯＴＩＦＹリクエストで送信されてくる。
４０８：発端末Ａ５０２は、個人番号の状態を操作表示部４に表示し、ＳＩＰサーバ５０１に［２００  ＯＫ］レスポンスを返す。
４０９：発端末Ａ５０２のスキャナ１で原稿を読み取り、操作表示部４より個人電話番号を入力し、着端末Ｘ５０４に送信する。
４１０：ＳＩＰサーバ５０１にＩＮＶＩＴＥリクエストで個人電話番号宛ての発呼依頼を行う。
４１１：ＳＩＰサーバ５０１は着端末Ｘ５０４からＲＥＧＩＳＴＥＲリクエスト登録されたＩＰアドレスにＩＮＶＩＴＥリクエストを転送する。
【００１５】
４１２：ＳＩＰサーバ５０１は発端末Ａ５０２に［１００  Ｔｒｙｉｎｇ］レスポンスを返す。
４１３：着端末Ｘ５０４はＩＮＶＩＴＥレスポンスを受けるとＳＩＰサーバに［１００  Ｔｒｙｉｎｇ］レスポンスを返す。
４１４：着端末Ｘ５０４は着信可能ならＳＩＰサーバ５０１に［２００  ＯＫ］レスポンスを返す。
４１５：ＳＩＰサーバ５０１は着端末Ｘ５０４からの［２００  ＯＫ］レスポンスを受けると、発端末Ａ５０２に［２００  ＯＫ］レスポンスを返す。
４１６：発端末Ａ５０２は［２００  ＯＫ］レスポンスを受けると着端末Ｘ５０４にＡＣＫリクエストを送信する。
４１７：発端末Ａ５０２は着端末Ｘ５０４にメディアセッションを貼り、着端末Ｘ５０４に原稿情報を送信する。
４１８：発端末Ａ５０２は送信し終わると着端末Ｘ５０４にＢＹＥリクエストを送信する。
【００１６】
４１９：着端末Ｘ５０４はＢＹＥリクエストを受けると発端末Ａ５０２に［２００  ＯＫ］レスポンスを返す。
４２０：着端末Ｘ５０４の操作表示部４よりログアウト操作が行われる。
４２１：着端末Ｘ５０４で入力された個人電話番号と端末のＩＰアドレスをＲＥＧＩＳＴＥＲリクエストでＳＩＰサーバ５０１に削除依頼を行う。（注記：パラメータｅｘｐｉｒｅｓが０で登録削除を表す）
４２２：ＳＩＰサーバ５０１から削除が成功すると着端末Ｘ５０４に［２００  ＯＫ］レスポンスが返される。
４２３：ＳＩＰサーバ５０１から個人電話番号の状態［着信不可］がＮＯＴＩＦＹリクエストで発端末Ａ５０２に送信されてくる。
４２４：発端末Ａ５０２は、個人番号の状態を操作表示部４に表示し、ＳＩＰサーバ５０１に［２００  ＯＫ］レスポンスを返す。
なお、上記例では、状態通知を受け取る端末を送信端末と同一としているが、状態通知をＰＣなどで受け取ることも可能である。
【００１７】
以上の通り本発明によれば、個人識別情報及び端末識別情報を送信手段によりネットワークを介して送信することにより、当該通信端末の宛先が個人識別情報に基づいた宛先として画情報の受信を可能とするので、通信端末が変わっても同じように通信を行うことができる。
また、個人識別情報として電話番号を利用するので、容易に個人を識別することができる。
また、入力手段は個人識別情報を記録した記録媒体の記録情報を読み取る読取手段を備えたので、個人識別情報を入力する手間を省くことができる。
また、記録媒体としてＩＤカードを利用するので、新たに記録媒体を用意する必要がなくなる。
また、記録媒体としてＵＳＢメモリ又はＳＤカードメモリを利用するので、インターフェースが既存のものを使用することができる。
また、記録媒体として非接触ＩＣカードを利用するので、カードを差し込む手間が省ける。
【００１８】
また、システムとして本発明の通信端末と、個人識別情報及び端末識別情報を管理するサーバと、通信端末とサーバを接続するネットワークと、を備えたので、簡単な構成により容易にシステムを構築することができる。
また、通信端末とサーバとの通信制御にＳＩＰを利用するので、汎用のソフトを利用することができる。
また、サーバは、個人識別情報と同時にパスワードを受信することにより利用者の認証を行うので、セキュリティを強化することができる。
また、サーバは、通信端末によりログアウト操作が行なわれることにより、個人識別情報を取り消すので、同じ通信端末を不特定多数の利用者により使用することができる。
また、送信側としての発側通信端末と受信側としての着側通信端末とが相互に通信する場合、着側通信端末が受信可能な状態になったことを発側通信端末に通知するので、無駄な通信を低減して通信効率を高めることができる。
【図面の簡単な説明】
【００１９】
【図１】本発明の通信端末をＴ．３８対応ファクシミリ装置で実施した場合の構成図。
【図２】本発明のＳＩＰを利用した場合のサーバへの個人識別情報と端末識別情報の登録シーケンス例を示す図。
【図３】本発明のＳＩＰを利用して認証方式としてダイジェスト認証［ＲＦＣ２６１７］を利用した場合の登録シーケンス例を示す図。
【図４】本発明の一実施形態に係る通信システムの構成図。
【図５】本発明のＳＩＰを利用した場合の登録・通信・状態通知依頼・状態通知のシーケンス例を示す図。
【符号の説明】
【００２０】
１  読取部（スキャナ）、２  制御部、３  書込部（プロッタ）、４  操作表示部（オペボード）、５  不揮発性メモリ、６  メモリ、７  画情報圧縮再生部（ＤＣＲ）、８  ファクシミリ通信制御部（ＣＣＵ）、９  ＬＡＮ制御部、１０  バス、１００  ファクシミリ装置
【図１】
2007251846.tif 000003
【図２】
2007251846.tif 000004
【図３】
2007251846.tif 000005
【図４】
2007251846.tif 000006
【図５】
2007251846.tif 000007